(57)【要約】【課題】イソプレノイド産生植物の組織片から効率的にカルスを誘導するカルスの誘導方法、カルスを効率的に生育させるカルスの培養方法、効率的に不定胚を形成させる不定胚の誘導方法、カルスを安定的に植物に再生できる植物の再生方法、天候や季節等に影響されずに安定的に植物を増殖できる植物の増殖方法、及び成熟胚の発根を誘導する方法を提供する。【解決手段】本発明は、カルスを安定的に植物に再生できる植物の再生方法、安定的に植物を増殖できる植物の増殖方法等に関する。【選択図】図１
2017055670.tif 000002
【特許請求の範囲】
【請求項１】
イソプレノイド産生植物の組織片を植物生長ホルモン及び炭素源を含む誘導培地中で培養することによりカルスを誘導するカルスの誘導方法において、
前記誘導培地が、金属イオン含有化合物を含むカルスの誘導方法。
【請求項２】
イソプレノイド産生植物の組織片を植物生長ホルモン及び炭素源を含む誘導培地中で培養することによりカルスを誘導するカルスの誘導方法において、
前記誘導培地が、前記植物生長ホルモンとして、オーキシン系植物ホルモン及びサイトカイニン系植物ホルモンを含み、
前記オーキシン系植物ホルモンが、２，４−ジクロロフェノキシ酢酸、前記サイトカイニン系植物ホルモンが、ベンジルアデニンであり、
前記誘導培地中の前記オーキシン系植物ホルモンの濃度が１．２ｍｇ／ｌ以上であるカルスの誘導方法。
【請求項３】
イソプレノイド産生植物の組織片を植物生長ホルモン及び炭素源を含む誘導培地中で培養することによりカルスを誘導するカルスの誘導方法において、
前記誘導培地が、植物抽出物を含み、
前記誘導培地が、前記植物生長ホルモンとして、オーキシン系植物ホルモンを含み、
前記誘導培地中の前記オーキシン系植物ホルモンの濃度が１．２ｍｇ／ｌ以上であるカルスの誘導方法。
【請求項４】
イソプレノイド産生植物の組織片を植物生長ホルモン及び炭素源を含む誘導培地中で培養することによりカルスを誘導するカルスの誘導方法において、
前記組織片が幼葉であり、
前記誘導培地が、ポリビニルピロリドンを含むカルスの誘導方法。
【請求項５】
前記誘導培地が、金属イオン含有化合物を含む請求項２記載のカルスの誘導方法。
【請求項６】
前記イソプレノイド産生植物がトウダイグサ科に属する植物である請求項１〜５のいずれかに記載のカルスの誘導方法。
【請求項７】
前記イソプレノイド産生植物がＨｅｖｅａ属に属する植物である請求項１〜５のいずれかに記載のカルスの誘導方法。
【請求項８】
前記イソプレノイド産生植物がパラゴムノキである請求項１〜５のいずれかに記載のカルスの誘導方法。
【請求項９】
イソプレノイド産生植物のカルスを、植物生長ホルモン及び炭素源を含む生育培地中で培養することによりカルスを生育させるカルスの培養方法において、
前記生育培地が、金属イオン含有化合物を含むカルスの培養方法。
【請求項１０】
イソプレノイド産生植物のカルスを、植物生長ホルモン及び炭素源を含む生育培地中で培養することによりカルスを生育させるカルスの培養方法において、
前記生育培地が、前記植物生長ホルモンとして、オーキシン系植物ホルモン及びサイトカイニン系植物ホルモンを含み、
前記オーキシン系植物ホルモンが、２，４−ジクロロフェノキシ酢酸、前記サイトカイニン系植物ホルモンが、ベンジルアデニンであり、
前記生育培地中の前記オーキシン系植物ホルモンの濃度が１．２ｍｇ／ｌ以上であるカルスの培養方法。
【請求項１１】
イソプレノイド産生植物のカルスを、植物生長ホルモン及び炭素源を含む生育培地中で培養することによりカルスを生育させるカルスの培養方法において、
前記生育培地が、前記植物生長ホルモンとして、ジベレリン系植物ホルモンを含むカルスの培養方法。
【請求項１２】
前記生育培地が、金属イオン含有化合物を含む請求項１０記載のカルスの培養方法。
【請求項１３】
前記イソプレノイド産生植物がトウダイグサ科に属する植物である請求項９〜１２のいずれかに記載のカルスの培養方法。
【請求項１４】
前記イソプレノイド産生植物がＨｅｖｅａ属に属する植物である請求項９〜１２のいずれかに記載のカルスの培養方法。
【請求項１５】
前記イソプレノイド産生植物がパラゴムノキである請求項９〜１２のいずれかに記載のカルスの培養方法。
【請求項１６】
イソプレノイド産生植物のカルスを、植物生長ホルモン及び炭素源を含む不定胚誘導培地中で培養することにより不定胚を形成させる不定胚の誘導方法において、
前記不定胚誘導培地が、前記植物生長ホルモンとして、オーキシン系植物ホルモン及びジベレリン系植物ホルモンを含み、
オーキシン系植物ホルモンの濃度／ジベレリン系植物ホルモンの濃度が０．７以上である不定胚の誘導方法。
【請求項１７】
前記イソプレノイド産生植物のカルスが、イソプレノイド産生植物の種子の外皮又は葯から誘導されたものである請求項１６記載の不定胚の誘導方法。
【請求項１８】
前記イソプレノイド産生植物がトウダイグサ科に属する植物である請求項１６又は１７記載の不定胚の誘導方法。
【請求項１９】
前記イソプレノイド産生植物がＨｅｖｅａ属に属する植物である請求項１６又は１７記載の不定胚の誘導方法。
【請求項２０】
前記イソプレノイド産生植物がパラゴムノキである請求項１６又は１７記載の不定胚の誘導方法。
【請求項２１】
請求項１６〜２０のいずれかに記載の不定胚の誘導方法により不定胚を誘導した後に、発芽及び発根させることによりカルスを植物に再生する植物の再生方法。
【請求項２２】
請求項１〜８のいずれかに記載のカルスの誘導方法により誘導されたカルス、又は請求項９〜１５のいずれかに記載のカルスの培養方法により生育させたカルスを用いて、不定胚を誘導した後に、発芽及び発根させることによりカルスを植物に再生する植物の再生方法。
【請求項２３】
請求項１〜８のいずれかに記載のカルスの誘導方法により誘導されたカルスを用いて、不定胚を誘導した後に、発芽及び発根させることにより植物を増殖させる植物の増殖方法。
【請求項２４】
請求項１〜８のいずれかに記載のカルスの誘導方法により誘導されたカルスを用いて、請求項１６〜２０のいずれかに記載の不定胚の誘導方法により不定胚を誘導した後に、発芽及び発根させることにより植物を増殖させる植物の増殖方法。
【請求項２５】
請求項１〜８のいずれかに記載のカルスの誘導方法により誘導されたカルスを、請求項９〜１５のいずれかに記載のカルスの培養方法により生育させ、生育させたカルスを用いて、請求項１６〜２０のいずれかに記載の不定胚の誘導方法により不定胚を誘導した後に、発芽及び発根させることにより植物を増殖させる植物の増殖方法。
【請求項２６】
イソプレノイド産生植物の成熟胚を炭素源を含む発根培地中で培養することにより発根させる成熟胚の発根誘導方法。
【請求項２７】
前記発根培地が、金属イオン含有化合物を含む請求項２６記載の成熟胚の発根誘導方法。
【請求項２８】
前記発根培地が、活性炭を含む請求項２６又は２７記載の成熟胚の発根誘導方法。
【請求項２９】
前記イソプレノイド産生植物がトウダイグサ科に属する植物である請求項２６〜２８のいずれかに記載の成熟胚の発根誘導方法。
【請求項３０】
前記イソプレノイド産生植物がＨｅｖｅａ属に属する植物である請求項２６〜２８のいずれかに記載の成熟胚の発根誘導方法。
【請求項３１】
前記イソプレノイド産生植物がパラゴムノキである請求項２６〜２８のいずれかに記載の成熟胚の発根誘導方法。
【発明の詳細な説明】
【技術分野】
【０００１】
本発明は、カルスの誘導方法、カルスの培養方法、不定胚の誘導方法、植物の再生方法、及び植物の増殖方法に関する。
【背景技術】
【０００２】
現在、工業用ゴム製品に用いられている天然ゴム（ポリイソプレノイドの１種）は、トウダイグサ科のパラゴムノキ（Ｈｅｖｅａ ｂｒａｓｉｌｉｅｎｓｉｓ）や桑科植物のインドゴムノキ（Ｆｉｃｕｓ ｅｌａｓｔｉｃａ）などのゴム産生植物を栽培し、その植物体が有する乳管細胞で天然ゴムを生合成させ、該天然ゴムを植物から手作業により採取することにより得られる。
【０００３】
現状、工業用天然ゴムは、パラゴムノキをほぼ唯一の採取源としている。またゴム製品の主原料として、様々な用途において幅広くかつ大量に用いられている。しかしながら、パラゴムノキは東南アジアや南米などの限られた地域でのみ生育可能な植物である。更に、パラゴムノキは、植樹からゴムの採取が可能な成木になるまでに７年程度を要し、また、採取出来る季節が限られる。また、成木から天然ゴムを採取できる期間は２０〜３０年に限られる。
【０００４】
今後、開発途上国を中心に天然ゴムの需要の増大が見込まれており、上述の理由によりパラゴムノキによる天然ゴムの大幅な増産は困難である。そのため、天然ゴム資源の枯渇が懸念されており、パラゴムノキでの収率の向上が望まれている。
【０００５】
パラゴムノキは、播種により実生苗を育成させ成長させた後台木とし、クローン苗から得た芽を台木に接ぎ芽する事で苗を増殖させる。クローン苗から得られる芽には限りがあるため、優良品種を普及させるには、優良品種のクローン苗を大量増殖させる必要がある。
【０００６】
また従来のクローン増殖技術である接ぎ木は、元の木がもつ病気を一緒に継いでしまう可能性があり、罹病した苗を増殖させる可能性がある。従って、安定的に植物を増殖できる方法が望まれている。
【０００７】
なお、台木の選択によって生産性やその品質が変化する可能性があることが知られている。現在使用されている台木の多くは実生台木であり、遺伝的な性質が不均一であり、優良な台木を選定することは難しい。
【０００８】
しかも、台木として利用できる大きさまでに成長するには時間がかかり、種子繁殖では品種の形質が安定しにくいため、一般的な交雑育種を活用することは困難である。さらに接ぎ穂は、台木の影響を受ける場合があるため、真のクローン苗とはならないおそれがある。
【０００９】
一方、植物におけるイソプレノイドの生産量を増大させるためには、例えば、耐ストレス性の向上や、植物中に蓄積されるイソプレノイド量の増大を目的として、植物を改良する方法が考えられる。植物の改良方法としては、人工交配や突然変異を利用する方法も考えられるが、所望する性質を効率的に付与することが難しく、その実現性は低いものと考えられる。そのため、植物の改良には、植物細胞に標的遺伝子を導入し、所望する性質を付与するという細胞工学的手法が利用されることになると考えられる。
【００１０】
細胞工学的手法を利用する場合、標的遺伝子を導入した植物細胞を植物体へ再分化させる必要がある。すなわち、植物細胞（例えば、カルス）から植物を再生する必要がある。しかしながら、従来から、植物において、種々の組織培養の検討が行われているものの、イソプレノイドを生産する植物のカルスから植物を再生する方法を検討した例はほとんどなく、カルスを安定的に植物に再生することは困難であった。
【発明の概要】
【発明が解決しようとする課題】
【００１１】
本発明は、前記課題を解決し、イソプレノイド産生植物の組織片から効率的にカルスを誘導するカルスの誘導方法、カルスを効率的に生育させるカルスの培養方法、効率的に不定胚を形成させる不定胚の誘導方法、カルスを安定的に植物に再生できる植物の再生方法、天候や季節等に影響されずに安定的に植物を増殖できる植物の増殖方法、及び成熟胚の発根を誘導する方法を提供することを目的とする。
【課題を解決するための手段】
【００１２】
本発明者らは、鋭意検討した結果、カルスから不定胚を誘導することにより、その後、安定的に発芽及び発根させることができ、再生個体を得ることができることを見出した。すなわち、カルスから不定胚を誘導することにより、カルスを安定的に植物に再生できること、更には、安定的に植物の増殖が可能であることを見出した。これらの知見については、既に特許出願（ＰＣＴ／ＪＰ２０１３／０７３７４０）を行っている。
【００１３】
更に、本発明者らは、鋭意検討した結果、イソプレノイド産生植物の組織片からカルスを誘導する際の誘導条件の違いによって、カルスから不定胚を誘導する際の効率が異なることを見出した。すなわち、ある培養条件で誘導されたカルスは容易に不定胚が誘導される一方で、ある培養条件で誘導されたカルスからは不定胚が誘導されにくいことを見出した。
【００１４】
この知見に基づいて、カルスへの誘導条件について鋭意検討した結果、以下の知見を見出した。
イソプレノイド産生植物の組織片を植物生長ホルモン及び炭素源を含む誘導培地中で培養することによりカルスを誘導するカルスの誘導方法において、
（１−１）誘導培地が、金属イオン含有化合物を含む場合、
（１−２）誘導培地が、２，４−ジクロロフェノキシ酢酸及びベンジルアデニンを含み、誘導培地中のオーキシン系植物ホルモンの濃度が１．２ｍｇ／ｌ以上である場合、
（１−３）誘導培地が、植物抽出物を含み、誘導培地中のオーキシン系植物ホルモンの濃度が１．２ｍｇ／ｌ以上である場合、又は
（１−４）組織片が幼葉の場合、誘導培地が、ポリビニルピロリドンを含む場合に、誘導したカルスから効率的に不定胚が誘導されることを見出した。すなわち、上記（１−１）〜（１−４）のいずれかの場合、誘導したカルスから効率的に不定胚が誘導され、その結果、カルスを安定的に植物に再生できること、更には、安定的に植物の増殖が可能であることを見出した。
【００１５】
すなわち、第１−１の本発明は、イソプレノイド産生植物の組織片を植物生長ホルモン及び炭素源を含む誘導培地中で培養することによりカルスを誘導するカルスの誘導方法において、上記誘導培地が、金属イオン含有化合物を含むカルスの誘導方法に関する。
【００１６】
また、第１−２の本発明は、イソプレノイド産生植物の組織片を植物生長ホルモン及び炭素源を含む誘導培地中で培養することによりカルスを誘導するカルスの誘導方法において、上記誘導培地が、上記植物生長ホルモンとして、オーキシン系植物ホルモン及びサイトカイニン系植物ホルモンを含み、上記オーキシン系植物ホルモンが、２，４−ジクロロフェノキシ酢酸、上記サイトカイニン系植物ホルモンが、ベンジルアデニンであり、上記誘導培地中の上記オーキシン系植物ホルモンの濃度が１．２ｍｇ／ｌ以上であるカルスの誘導方法に関する。該誘導培地が、金属イオン含有化合物を含むことが好ましい。
【００１７】
また、第１−３の本発明は、イソプレノイド産生植物の組織片を植物生長ホルモン及び炭素源を含む誘導培地中で培養することによりカルスを誘導するカルスの誘導方法において、上記誘導培地が、植物抽出物を含み、上記誘導培地が、上記植物生長ホルモンとして、オーキシン系植物ホルモンを含み、上記誘導培地中の上記オーキシン系植物ホルモンの濃度が１．２ｍｇ／ｌ以上であるカルスの誘導方法に関する。
【００１８】
また、第１−４の本発明は、イソプレノイド産生植物の組織片を植物生長ホルモン及び炭素源を含む誘導培地中で培養することによりカルスを誘導するカルスの誘導方法において、上記組織片が幼葉であり、上記誘導培地が、ポリビニルピロリドンを含むカルスの誘導方法に関する。
【００１９】
第１−１〜第１−４の本発明において、上記イソプレノイド産生植物が、トウダイグサ科に属する植物であることが好ましく、Ｈｅｖｅａ属に属する植物であることがより好ましく、パラゴムノキであることが更に好ましい。
【００２０】
更に、本発明者らは、鋭意検討した結果、誘導されたカルスを生育させる培養条件の違いによっても、カルスから不定胚を誘導する際の効率が異なることを見出した。すなわち、ある培養条件で生育されたカルスは容易に不定胚が誘導される一方で、ある培養条件で生育されたカルスからは不定胚が誘導されにくいことを見出した。
【００２１】
この知見に基づいて、カルスを生育させるカルスの培養方法について鋭意検討した結果、以下の知見を見出した。
イソプレノイド産生植物のカルスを、植物生長ホルモン及び炭素源を含む生育培地中で培養することによりカルスを生育させるカルスの培養方法において、
（２−１）生育培地が、金属イオン含有化合物を含む場合、
（２−２）生育培地が、２，４−ジクロロフェノキシ酢酸及びベンジルアデニンを含み、生育培地中のオーキシン系植物ホルモンの濃度が１．２ｍｇ／ｌ以上である場合、又は
（２−３）生育培地が、ジベレリン系植物ホルモンを含む場合に、生育させたカルスから効率的に不定胚が誘導されることを見出した。すなわち、上記（２−１）〜（２−３）のいずれかの場合、生育させたカルスから効率的に不定胚が誘導され、その結果、カルスを安定的に植物に再生できること、更には、安定的に植物の増殖が可能であることを見出した。
【００２２】
すなわち、第２−１の本発明は、イソプレノイド産生植物のカルスを、植物生長ホルモン及び炭素源を含む生育培地中で培養することによりカルスを生育させるカルスの培養方法において、上記生育培地が、金属イオン含有化合物を含むカルスの培養方法に関する。
【００２３】
また、第２−２の本発明は、イソプレノイド産生植物のカルスを、植物生長ホルモン及び炭素源を含む生育培地中で培養することによりカルスを生育させるカルスの培養方法において、上記生育培地が、上記植物生長ホルモンとして、オーキシン系植物ホルモン及びサイトカイニン系植物ホルモンを含み、上記オーキシン系植物ホルモンが、２，４−ジクロロフェノキシ酢酸、上記サイトカイニン系植物ホルモンが、ベンジルアデニンであり、上記生育培地中の上記オーキシン系植物ホルモンの濃度が１．２ｍｇ／ｌ以上であるカルスの培養方法に関する。該生育培地が、金属イオン含有化合物を含むことが好ましい。
【００２４】
また、第２−３の本発明は、イソプレノイド産生植物のカルスを、植物生長ホルモン及び炭素源を含む生育培地中で培養することによりカルスを生育させるカルスの培養方法において、上記生育培地が、上記植物生長ホルモンとして、ジベレリン系植物ホルモンを含むカルスの培養方法に関する。
【００２５】
第２−１〜第２−３の本発明において、上記イソプレノイド産生植物が、トウダイグサ科に属する植物であることが好ましく、Ｈｅｖｅａ属に属する植物であることがより好ましく、パラゴムノキであることが更に好ましい。
【００２６】
更に、本発明者らは、鋭意検討した結果、カルスから不定胚を誘導する際、培地中のオーキシン系植物ホルモンの濃度、ジベレリン系植物ホルモンの濃度の比率が重要であり、「オーキシン系植物ホルモンの濃度／ジベレリン系植物ホルモンの濃度」を特定値以上とすることにより、カルスから効率的に不定胚が誘導され、その結果、カルスを安定的に植物に再生できること、更には、安定的に植物の増殖が可能であることを見出した。
【００２７】
すなわち、第３の本発明は、イソプレノイド産生植物のカルスを、植物生長ホルモン及び炭素源を含む不定胚誘導培地中で培養することにより不定胚を形成させる不定胚の誘導方法において、上記不定胚誘導培地が、上記植物生長ホルモンとして、オーキシン系植物ホルモン及びジベレリン系植物ホルモンを含み、オーキシン系植物ホルモンの濃度／ジベレリン系植物ホルモンの濃度が０．７以上である不定胚の誘導方法に関する。該イソプレノイド産生植物のカルスが、イソプレノイド産生植物の種子の外皮又は葯から誘導されたものであることが好ましい。
【００２８】
第３の本発明において、上記イソプレノイド産生植物が、トウダイグサ科に属する植物であることが好ましく、Ｈｅｖｅａ属に属する植物であることがより好ましく、パラゴムノキであることが更に好ましい。
【００２９】
第３の本発明により、カルスから効率的に不定胚が誘導され、その結果、カルスを安定的に植物に再生することが可能である。
【００３０】
すなわち、第４−１の発明は、上記不定胚の誘導方法（第３の本発明）により不定胚を誘導した後に、発芽及び発根させることによりカルスを植物に再生する植物の再生方法に関する。
【００３１】
また、第１−１〜第１−４の本発明により誘導されたカルスや第２−１〜第２−３の本発明により生育されたカルスを使用すると効率的に不定胚を誘導でき、その結果、カルスを安定的に植物に再生することが可能である。
【００３２】
すなわち、第４−２の発明は、上記カルスの誘導方法（第１−１〜第１−４の本発明）により誘導されたカルス、又は上記カルスの培養方法（第２−１〜第２−３の本発明）により生育させたカルスを用いて、不定胚を誘導した後に、発芽及び発根させることによりカルスを植物に再生する植物の再生方法に関する。
【００３３】
また、第１−１〜第１−４の本発明により誘導されたカルスを使用すると効率的に不定胚を誘導でき、その結果、カルスを安定的に植物に再生でき、更には、安定的に植物の増殖が可能である。
【００３４】
すなわち、第５の発明は、上記カルスの誘導方法（第１−１〜第１−４の本発明）により誘導されたカルスを用いて、不定胚を誘導した後に、発芽及び発根させることにより植物を増殖させる植物の増殖方法に関する。
【００３５】
更に、第３の本発明により、カルスから効率的に不定胚が誘導され、その結果、カルスを安定的に植物に再生でき、更には、安定的に植物の増殖が可能である。
【００３６】
すなわち、第５の発明は、上記カルスの誘導方法（第１−１〜第１−４の本発明）により誘導されたカルスを用いて、上記不定胚の誘導方法（第３の本発明）により不定胚を誘導した後に、発芽及び発根させることにより植物を増殖させる植物の増殖方法であることが好ましい。
【００３７】
また、第５の発明は、上記カルスの誘導方法（第１−１〜第１−４の本発明）により誘導されたカルスを、上記カルスの培養方法（第２−１〜第２−３の本発明）により生育させ、生育させたカルスを用いて、上記不定胚の誘導方法（第３の本発明）により不定胚を誘導した後に、発芽及び発根させることにより植物を増殖させる植物の増殖方法であることが好ましい。
【００３８】
本発明者らはまた、鋭意検討した結果、イソプレノイド産生植物の成熟胚を特定の発根培地中で培養することにより発根させることができることも見出した。
【００３９】
すなわち、第６の発明は、イソプレノイド産生植物の成熟胚を炭素源を含む発根培地中で培養することにより発根させる成熟胚の発根誘導方法に関する。
【００４０】
また、第６の発明は、上記発根培地が、金属イオン含有化合物を含むことが好ましく、上記発根培地が、活性炭を含むことも好ましい。
【００４１】
第６の本発明において、上記イソプレノイド産生植物が、トウダイグサ科に属する植物であることが好ましく、Ｈｅｖｅａ属に属する植物であることがより好ましく、パラゴムノキであることが更に好ましい。
【発明の効果】
【００４２】
本発明のカルスの誘導方法（第１−１〜第１−４の本発明）によれば、イソプレノイド産生植物の組織片から効率的にカルスを誘導できると共に、得られたカルスから効率的に不定胚を誘導でき、その結果、カルスを安定的に植物に再生でき、更には、安定的に植物の増殖が可能である。
また、本発明のカルスの培養方法（第２−１〜第２−３の本発明）によれば、カルスを効率的に生育させることができると共に、生育させたカルスから効率的に不定胚を誘導でき、その結果、カルスを安定的に植物に再生でき、更には、安定的に植物の増殖が可能である。
また、本発明の不定胚の誘導方法（第３の本発明）によれば、カルスから効率的に不定胚を誘導でき、その結果、カルスを安定的に植物に再生でき、更には、安定的に植物の増殖が可能である。
また、本発明の植物の再生方法（第４−１、第４−２の本発明）によれば、カルスを安定的に植物に再生できる。
また、本発明の植物の増殖方法（第５の発明）によれば、制御された環境下で組織培養を行うことにより、天候や季節等に影響されずに安定的に植物を増殖できる。
また、本発明の成熟胚の発根誘導方法（第６の発明）によれば、イソプレノイド産生植物の成熟胚を特定の発根培地中で培養することにより発根させることができる。
【図面の簡単な説明】
【００４３】
【図１】パラゴムノキにおけるカルスの形成、カルスの生育、不定胚の形成、不定胚の生育、及び植物体への再生の様子を示す写真である。
【図２】パラゴムノキの組織片から誘導されたカルスの一例を示す写真である。
【発明を実施するための形態】
【００４４】
本発明のカルスの誘導方法（第１−１〜第１−４の本発明）によれば、イソプレノイド産生植物の組織片を上記（１−１）〜（１−４）の特定の培養条件で培養することにより、イソプレノイド産生植物の組織片から効率的にカルスを誘導できると共に、得られたカルスから効率的に不定胚を誘導でき、その結果、カルスを安定的に植物に再生でき、更には、安定的に植物の増殖が可能である。
【００４５】
また、本発明のカルスの培養方法（第２−１〜第２−３の本発明）によれば、イソプレノイド産生植物のカルスを上記（２−１）〜（２−３）の特定の培養条件で培養することにより、カルスを効率的に生育させることができると共に、生育させたカルスから効率的に不定胚を誘導でき、その結果、カルスを安定的に植物に再生でき、更には、安定的に植物の増殖が可能である。
【００４６】
また、本発明の不定胚の誘導方法（第３の本発明）によれば、「オーキシン系植物ホルモンの濃度／ジベレリン系植物ホルモンの濃度」を特定値以上とすることにより、カルスから効率的に不定胚を誘導でき、その結果、カルスを安定的に植物に再生でき、更には、安定的に植物の増殖が可能である。
【００４７】
また、本発明の植物の再生方法（第４−１の発明）によれば、上記不定胚の誘導方法（第３の本発明）により不定胚を誘導した後に、発芽及び発根させることにより、カルスを安定的に植物に再生できる。すなわち、第３の本発明により、カルスから効率的に不定胚が誘導される結果、カルスを安定的に植物に再生することが可能となる。
【００４８】
また、本発明の植物の再生方法（第４−２の発明）によれば、第１−１〜第１−４の本発明により誘導されたカルスや第２−１〜第２−３の本発明により生育されたカルスを使用することにより、効率的に不定胚を誘導でき、その結果、カルスを安定的に植物に再生することが可能である。
【００４９】
また、本発明の植物の増殖方法（第５の発明）によれば、上記カルスの誘導方法（第１−１〜第１−４の本発明）により誘導されたカルスを用いて、不定胚を誘導した後に、発芽及び発根させる（本発明の植物の再生方法（第４−２の発明））ことにより、より好ましくは、上記カルスの誘導方法（第１−１〜第１−４の本発明）により誘導されたカルスを用いて、上記不定胚の誘導方法（第３の本発明）により不定胚を誘導した後に、発芽及び発根させる（本発明の植物の再生方法（第４−１の発明））ことにより、更に好ましくは、上記カルスの誘導方法（第１−１〜第１−４の本発明）により誘導されたカルスを、上記カルスの培養方法（第２−１〜第２−３の本発明）により生育させ、生育させたカルスを用いて、上記不定胚の誘導方法（第３の本発明）により不定胚を誘導した後に、発芽及び発根させることにより、天候や季節等に影響されずに安定的に植物を増殖できる。
すなわち、第１−１〜第１−４の本発明により誘導されたカルスを使用する結果、又は第１−１〜第１−４の本発明により誘導されたカルスを使用すると共に、第３の本発明により、カルスから効率的に不定胚が誘導される結果、カルスを安定的に植物に再生でき、更には、安定的に植物の増殖が可能となる。具体的には、植物の葉や茎など大量に入手可能な植物の組織片からカルスを誘導し、カルスから不定胚を経て植物に再生することにより、安定的かつ大量に植物を増殖させることが可能である。更に、不定胚を増殖させることにより、より大量に植物を増殖させることが可能である。
【００５０】
また、再生された植物は、カルスの状態で維持（継代培養）する場合よりも変異が起こりにくく、安定的に植物を供給することができる。また、再生された植物は、土壌中で生育させることができるため、カルス等の植物細胞と異なり、細胞を維持するために高価な植物成長調整物質を必要としないため、コストを抑制できる。
【００５１】
また、本発明の成熟胚の発根誘導方法（第６の発明）によれば、イソプレノイド産生植物の成熟胚を特定の発根培地中で培養することにより発根させることができる。具体的には、イソプレノイド産生植物の不定胚を培養することにより、該不定胚は成熟した不定胚（成熟胚）となり、この成熟胚を特定の発根培地中で培養することにより発根させることができ、カルスを安定的に植物に再生することができる。より具体的には、上記カルスの誘導方法（第１−１〜第１−４の本発明）により誘導されたカルスを用いて、不定胚を誘導した後に、該不定胚を培養することにより得られる成熟胚を特定の発根培地中で培養することにより、より好ましくは、上記カルスの誘導方法（第１−１〜第１−４の本発明）により誘導されたカルスを用いて、上記不定胚の誘導方法（第３の本発明）により不定胚を誘導した後に、該不定胚を培養することにより得られる成熟胚を特定の発根培地中で培養することにより、更に好ましくは、上記カルスの誘導方法（第１−１〜第１−４の本発明）により誘導されたカルスを、上記カルスの培養方法（第２−１〜第２−３の本発明）により生育させ、生育させたカルスを用いて、上記不定胚の誘導方法（第３の本発明）により不定胚を誘導した後に、該不定胚を培養することにより得られる成熟胚を特定の発根培地中で培養することにより、発根させることができ、カルスを安定的に植物に再生することができる。
【００５２】
このように、上記成熟胚の発根誘導方法（第６の発明）を用いることにより、上記植物の再生方法（第４−１、第４−２の本発明）や上記植物の増殖方法（第５の発明）において、より好適に発根させることができる。
【００５３】
本発明において、カルスとは、分化していない状態の植物細胞又は分化していない状態の植物細胞塊を意味する。また、本発明において、不定胚とは、カルスから誘導された胚様の組織を意味する。また、本発明において、成熟胚とは、成熟した不定胚を意味し、ここで、成熟とは、受精胚と同様の形態での発生が見られることを意味する。
【００５４】
本発明の方法が適用できるイソプレノイド産生植物としては、イソプレノイドを産生可能な植物であれば特に限定されず、例えば、パラゴムノキ（Ｈｅｖｅａ  ｂｒａｓｉｌｉｅｎｓｉｓ）等のＨｅｖｅａ属；ノゲシ（Ｓｏｎｃｈｕｓ  ｏｌｅｒａｃｅｕｓ）、オニノゲシ（Ｓｏｎｃｈｕｓ  ａｓｐｅｒ）、ハチジョウナ（Ｓｏｎｃｈｕｓ  ｂｒａｃｈｙｏｔｕｓ）、タイワンハチジョウナ（Ｓｏｎｃｈｕｓ ａｒｖｅｎｓｉｓ）等のＳｏｎｃｈｕｓ属；セイタカアワダチソウ（Ｓｏｌｉｄａｇｏ  ａｌｔｉｓｓｉｍａ）、アキノキリンソウ（Ｓｏｌｉｄａｇｏ  ｖｉｒｇａｕｒｅａ  ｓｕｂｓｐ．  ａｓｉａｔｉｃａ）、ミヤマアキノキリンソウ（Ｓｏｌｉｄａｇｏ  ｖｉｒｇａｕｒｅａ  ｓｕｂｓｐ．  ｌｅｉｐｃａｒｐａ）、キリガミネアキノキリンソウ（Ｓｏｌｉｄａｇｏ  ｖｉｒｇａｕｒｅａ  ｓｕｂｓｐ．  ｌｅｉｐｃａｒｐａ  ｆ．  ｐａｌｕｄｏｓａ）、オオアキノキリンソウ（Ｓｏｌｉｄａｇｏ  ｖｉｒｇａｕｒｅａ  ｓｕｂｓｐ．  ｇｉｇａｎｔｅａ）、オオアワダチソウ（Ｓｏｌｉｄａｇｏ  ｇｉｇａｎｔｅａ  Ａｉｔ．  ｖａｒ．  ｌｅｉｏｐｈｙｌｌａ  Ｆｅｒｎａｌｄ）等のＳｏｌｉｄａｇｏ属；ヒマワリ（Ｈｅｌｉａｎｔｈｕｓ  ａｎｎｕｕｓ）、シロタエヒマワリ（Ｈｅｌｉａｎｔｈｕｓ  ａｒｇｏｐｈｙｌｌｕｓ）、ヘリアンサス・アトロルベンス（Ｈｅｌｉａｎｔｈｕｓ  ａｔｒｏｒｕｂｅｎｓ）、ヒメヒマワリ（Ｈｅｌｉａｎｔｈｕｓ  ｄｅｂｉｌｉｓ）、コヒマワリ（Ｈｅｌｉａｎｔｈｕｓ  ｄｅｃａｐｅｔａｌｕｓ）、ジャイアントサンフラワー（Ｈｅｌｉａｎｔｈｕｓ  ｇｉｇａｎｔｅｕｓ）等のＨｅｌｉａｎｔｈｕｓ属；タンポポ（Ｔａｒａｘａｃｕｍ）、エゾタンポポ（Ｔａｒａｘａｃｕｍ  ｖｅｎｕｓｔｕｍ  Ｈ．Ｋｏｉｄｚ）、シナノタンポポ（Ｔａｒａｘａｃｕｍ  ｈｏｎｄｏｅｎｓｅ  Ｎａｋａｉ）、カントウタンポポ（Ｔａｒａｘａｃｕｍ  ｐｌａｔｙｃａｒｐｕｍ  Ｄａｈｌｓｔ）、カンサイタンポポ（Ｔａｒａｘａｃｕｍ  ｊａｐｏｎｉｃｕｍ）、セイヨウタンポポ（Ｔａｒａｘａｃｕｍ  ｏｆｆｉｃｉｎａｌｅ  Ｗｅｂｅｒ）、ロシアンタンポポ（Ｔａｒａｘａｃｕｍ ｋｏｋｓａｇｈｙｚ）等のＴａｒａｘａｃｕｍ属；イチジク（Ｆｉｃｕｓ  ｃａｒｉｃａ）、インドゴムノキ（Ｆｉｃｕｓ  ｅｌａｓｔｉｃａ）、オオイタビ（Ｆｉｃｕｓ  ｐｕｍｉｌａ  Ｌ．）、イヌビワ（Ｆｉｃｕｓ  ｅｒｅｃｔａ  Ｔｈｕｍｂ．）、ホソバムクイヌビワ（Ｆｉｃｕｓ  ａｍｐｅｌａｓ  Ｂｕｒｍ．ｆ．）、コウトウイヌビワ（Ｆｉｃｕｓ  ｂｅｎｇｕｅｔｅｎｓｉｓ  Ｍｅｒｒ．）、ムクイヌビワ（Ｆｉｃｕｓ  ｉｒｉｓａｎａ  Ｅｌｍ．）、ガジュマル（Ｆｉｃｕｓ  ｍｉｃｒｏｃａｒｐａ  Ｌ．ｆ．）、オオバイヌビワ（Ｆｉｃｕｓ  ｓｅｐｔｉｃａ  Ｂｕｒｍ．ｆ．）、ベンガルボダイジュ（Ｆｉｃｕｓ  ｂｅｎｇｈａｌｅｎｓｉｓ）等のＦｉｃｕｓ属；グアユール（Ｐａｒｈｅｎｉｕｍ  ａｒｇｅｎｔａｔｕｍ）、レタス（Ｌａｃｔｕｃａ  ｓｅｒｒｉｏｌａ）等が挙げられる。なかでも、Ｓｏｎｃｈｕｓ属、Ｓｏｌｉｄａｇｏ属、Ｈｅｌｉａｎｔｈｕｓ属、Ｔａｒａｘａｃｕｍ属に属する植物等のキク科（Ａｓｔｅｒａｃｅａｅ）に属する植物、Ｈｅｖｅａ属に属する植物等のトウダイグサ科（Ｅｕｐｈ��ｒｂｉａｃｅａｅ）に属する植物であることが好ましく、Ｈｅｖｅａ属に属する植物であることがより好ましく、パラゴムノキ（Ｈｅｖｅａ  ｂｒａｓｉｌｉｅｎｓｉｓ）であることが更に好ましい。
【００５５】
以下において、本発明の植物の増殖方法（第５の発明）について具体的に説明する。なお、本発明の植物の増殖方法（第５の発明）は、基本的に本発明のカルスの誘導方法（第１−１〜第１−４の本発明）、本発明の植物の再生方法（第４−２の発明）を利用した植物の増殖方法であり、その好適な態様は、本発明のカルスの誘導方法（第１−１〜第１−４の本発明）、本発明の不定胚の誘導方法（第３の本発明）、（本発明の植物の再生方法（第４−１の発明、第４−２の発明））に加えて、本発明のカルスの培養方法（第２−１〜第２−３の本発明）、本発明の成熟胚の発根誘導方法（第６の発明）をも利用した植物の増殖方法であるので、本発明の植物の増殖方法（第５の発明）を説明することにより、本発明のカルスの誘導方法（第１−１〜第１−４の本発明）、本発明のカルスの培養方法（第２−１〜第２−３の本発明）、本発明の不定胚の誘導方法（第３の本発明）、（本発明の植物の再生方法（第４−１の発明、第４−２の発明））、本発明の成熟胚の発根誘導方法（第６の発明）についても説明したこととなる。
【００５６】
本発明の植物の増殖方法（第５の発明）は、本発明のカルスの誘導方法（第１−１〜第１−４の本発明）により誘導されたカルスを用いて、不定胚を誘導した後に、発芽及び発根させる（本発明の植物の再生方法（第４−２の発明））ことにより、植物を増殖させる植物の増殖方法である。
より好適には、本発明のカルスの誘導方法（第１−１〜第１−４の本発明）により誘導されたカルスを用いて、本発明の不定胚の誘導方法（第３の本発明）により不定胚を誘導した後に、発芽及び発根させる（本発明の植物の再生方法（第４−１の発明、第４−２の発明））ことにより、植物を増殖させる植物の増殖方法である。
更に好適には、本発明の植物の増殖方法（第５の発明）は、本発明のカルスの誘導方法（第１−１〜第１−４の本発明）により誘導されたカルスを、本発明のカルスの培養方法（第２−１〜第２−３の本発明）により生育させ、生育させたカルスを用いて、本発明の不定胚の誘導方法（第３の本発明）により不定胚を誘導した後に、発芽及び発根させる（本発明の植物の再生方法（第４−１の発明、第４−２の発明））ことにより植物を増殖させる植物の増殖方法である。
更に好適には、上記方法において誘導された不定胚を培養することにより得られる成熟胚を特定の発根培地中で培養することが好ましい。
【００５７】
以下において、上記各工程について説明する。
【００５８】
（誘導工程）
誘導工程では、イソプレノイド産生植物の組織片を植物生長ホルモン及び炭素源を含む誘導培地中で培養することによりカルスを誘導する。カルスを誘導させる条件としては、特に限定されないが、イソプレノイド産生植物の組織片を上記（１−１）〜（１−４）の特定の培養条件で培養することにより、イソプレノイド産生植物の組織片から効率的にカルスを誘導できると共に、得られたカルスから効率的に不定胚を誘導でき、その結果、カルスを安定的に植物に再生でき、更には、安定的に植物の増殖が可能である。
【００５９】
組織片としては、特に限定されないが、具体的には、葉、幼葉、葉柄、茎、根、芽、花弁、子葉、胚軸、葯、及び種子からなる群より選択される少なくとも１種であることが好ましい。なかでも、不定胚を誘導しやすいカルスを好適に得られるという理由から、葯、種子（好ましくは種子の外皮）、葉、幼葉、葉柄、根が好ましく、葯、種子（好ましくは種子の外皮）がより好ましい。葯、種子（好ましくは種子の外皮）から誘導したカルスは、特に、不定胚を誘導しやすい。
ここで、本明細書において、幼葉とは、成木及び苗木の新芽から芽吹いた若い葉を意味する。
また、本明細書において、葉とは、幼葉以外の葉を意味する。
【００６０】
誘導工程では、まず、イソプレノイド産生植物の組織片の表面を洗浄する。組織片として植物の内部にある組織を利用する場合は、例えば、磨き粉で洗浄しても良いが、界面活性剤を約０．１％含む水で洗浄してもよい。葉などを利用する場合は、軟らかいスポンジで表面を洗浄することが好ましい。
【００６１】
次に、組織片を殺菌又は滅菌する。殺菌又は滅菌は、周知の殺菌剤、滅菌剤を用いて行うことができるが、エタノール、塩化ベンザルコニウム、次亜塩素酸ナトリウム水溶液が好ましい。
【００６２】
次に、殺菌又は滅菌した組織片を植物生長ホルモン及び炭素源を含む誘導培地中で培養することにより、カルスの誘導を行う。なお、誘導培地は、液体であっても固体であってもよいが、培地上に置床して培養することで、カルス化しやすいため、固体培養が好ましい。また、誘導培地が液体培地である場合には、静置培養を行ってもよく、振とう培養を行ってもよい。
【００６３】
植物生長ホルモンとしては、例えば、オーキシン系植物ホルモン、サイトカイニン系植物ホルモン、ジベレリン系植物ホルモンが挙げられる。なかでも、オーキシン系植物ホルモン、サイトカイニン系植物ホルモンが好ましい。
【００６４】
オーキシン系植物ホルモンとしては、２，４−ジクロロフェノキシ酢酸、ナフタレン酢酸、インドール酪酸、インドール酢酸、インドールプロピオン酸、クロロフェノキシ酢酸、ナフトキシ酢酸、フェニル酢酸、２，４，５−トリクロロフェノキシ酢酸、パラクロロフェノキシ酢酸、２−メチル−４−クロロフェノキシ酢酸、４−フルオロフェノキシ酢酸、２−メトキシ−３，６−ジクロロ安息香酸、２−フェニル酸、ピクロラム、ピコリン酸等が挙げられる。なかでも、２，４−ジクロロフェノキシ酢酸、ナフタレン酢酸、インドール酪酸、インドール酢酸が好ましく、２，４−ジクロロフェノキシ酢酸、ナフタレン酢酸がより好ましく、２，４−ジクロロフェノキシ酢酸が更に好ましい。
【００６５】
サイトカイニン系植物ホルモンとしては、ベンジルアデニン、カイネチン、ゼアチン、ベンジルアミノプリン、イソペンチニルアミノプリン、チジアズロン、イソペンテニルアデニン、ゼアチンリポシド、ジヒドロゼアチン等が挙げられる。なかでも、ベンジルアデニン、カイネチン、チジアズロン、ゼアチンが好ましく、ベンジルアデニン、カイネチンがより好ましく、ベンジルアデニンが更に好ましい。
【００６６】
ジベレリン系植物ホルモンとしては、ジベレリンＡ１〜Ａ１３６等が挙げられる。なかでも、ジベレリンＡ３が好ましい。
【００６７】
第１−１の本発明においては、オーキシン系植物ホルモンとして、２，４−ジクロロフェノキシ酢酸、サイトカイニン系植物ホルモンとして、ベンジルアデニンを使用することが好ましい。
また、第１−２の本発明においては、オーキシン系植物ホルモンとして、２，４−ジクロロフェノキシ酢酸、サイトカイニン系植物ホルモンとして、ベンジルアデニンを使用する。
また、第１−３の本発明においては、オーキシン系植物ホルモンとして、ナフタレン酢酸、及び／又は２，４−ジクロロフェノキシ酢酸、サイトカイニン系植物ホルモンとして、カイネチンを使用することが好ましく、オーキシン系植物ホルモンとして、ナフタレン酢酸及び２，４−ジクロロフェノキシ酢酸、サイトカイニン系植物ホルモンとして、カイネチンを使用することがより好ましい。
また、第１−４の本発明においては、サイトカイニン系植物ホルモンとして、ベンジルアデニン、及び／又はチジアズロンを使用することが好ましく、ベンジルアデニン及びチジアズロンを使用することがより好ましい。なお、第１−４の本発明においては、オーキシン系植物ホルモンを使用しないことが好ましい。
【００６８】
炭素源としては、特に限定されず、スクロース、グルコース、トレハロース、フルクトース、ラクトース、ガラクトース、キシロース、アロース、タロース、グロース、アルトロース、マンノース、イドース、アラビノース、アピオース、マルトース、マンニトール、ソルビトール、キシリトール、エリスリトール等の糖類が挙げられる。なかでも、スクロース、グルコースが好ましく、スクロースがより好ましい。
【００６９】
第１−１の本発明においては、誘導培地が金属イオン含有化合物を含む。誘導培地中に存在する金属イオン（特に、銀イオン）が、組織片に対するエチレンの作用を阻害するため、不定胚を誘導しやすいカルスを好適に得られる。
なお、第１−２〜第１−４の本発明（特に、第１−２の本発明）においても、誘導培地が金属イオン含有化合物を含むことが好ましい。これにより、不定胚を誘導しやすいカルスをより好適に得られる。
【００７０】
金属イオン含有化合物としては、金属イオンを含有する化合物であれば特に限定されず、例えば、金属イオンの塩が挙げられる。金属イオンとしては、特に限定されないが、銀、鉄、鉛、金、白金、銅、クロム、カドミウム、水銀、亜鉛、ヒ素、マンガン、コバルト、ニッケル、モリブデン、タングステン、スズ、ビスマス、ウラン、プルトニウム等の重金属のイオンが好ましく、銀イオンがより好ましい。塩形態としては特に限定されず、硝酸塩、硫酸塩、リン酸塩、酢酸塩、炭酸塩、塩素酸塩、ヨウ素酸塩、過塩素酸塩、クロム酸塩、臭素酸塩、塩化塩、硫化塩、アジ化塩、フッ化塩、酸化塩、ヨウ化塩、シアン化塩、臭化塩、水酸化塩等が挙げられる。なかでも、硝酸塩が好ましい。
銀イオン含有化合物としては、例えば、硝酸銀、硫酸銀、リン酸銀、酢酸銀、炭酸銀、塩素酸銀、ヨウ素酸銀、過塩素酸銀、クロム酸銀、臭素酸銀、塩化銀、硫化銀、アジ化銀、フッ化銀、酸化銀、ヨウ化銀、シアン化銀、臭化銀、水酸化銀等が挙げられる。なかでも、本発明の効果が好適に得られるという理由から、硝酸銀が好ましい。
【００７１】
第１−３の本発明においては、誘導培地が植物抽出物を含む。これにより、不定胚を誘導しやすいカルスを好適に得られる。
なお、第１−１〜第１−２、第１−４の本発明においても、誘導培地が植物抽出物を含むことが好ましい。これにより、不定胚を誘導しやすいカルスをより好適に得られる。
【００７２】
植物抽出物としては、植物（好ましくは果実）から抽出したものであれば特に限定されないが、例えば、ココナッツミルク、バナナ抽出物、バナナパウダー、ジャガイモ抽出物、トマトジュース等が挙げられる。なかでも、ココナッツミルク（ココナッツウォーター）等の液状の胚乳（好ましくは果実由来の液状の胚乳）が好適に使用できる。
【００７３】
第１−４の本発明においては、誘導培地がポリビニルピロリドンを含む。これにより、不定胚を誘導しやすいカルスを好適に得られる。誘導培地にポリビニルピロリドンを添加する効果は、組織片が幼葉の場合に特に大きいが、他の組織片を用いる場合にも誘導培地にポリビニルピロリドンを添加してもよい。また、第１−１〜第１−３の本発明においても、誘導培地がポリビニルピロリドンを含むことが好ましい。これにより、不定胚を誘導しやすいカルスをより好適に得られる。
【００７４】
誘導培地としては、Ｗｈｉｔｅの培地（植物細胞工学入門（学会出版センター）ｐ２０〜ｐ３６に記載）、Ｈｅｌｌｅｒの培地（Ｈｅｌｌｅｒ  Ｒ，  Ｂｏｔ．Ｂｉｏｌ．Ｖｅｇ．Ｐａｒｉｓ  １４  １−２２３（１９５３））、ＳＨ培地（ＳｃｈｅｎｋとＨｉｌｄｅｂｒａｎｄｔの培地）、ＭＳ培地（ＭｕｒａｓｈｉｇｅとＳｋｏｏｇの培地）（植物細胞工学入門（学会出版センター）ｐ２０〜ｐ３６に記載）、ＬＳ培地（ＬｉｎｓｍａｉｅｒとＳｋｏｏｇの培地）（植物細胞工学入門（学会出版センター）ｐ２０〜ｐ３６に記載）、Ｇａｍｂｏｒｇ培地、Ｂ５培地（植物細胞工学入門（学会出版センター）ｐ２０〜ｐ３６に記載）、ＭＢ培地、ＷＰ培地（Ｗｏｏｄｙ  Ｐｌａｎｔ：木本類用）等の基本培地や、該基本培地の組成に変更を加えた改変基本培地等のベースとなる培地に植物生長ホルモンを加えたものを使用すればよい。なかでも、ＭＳ培地、Ｂ５培地、ＷＰ培地に植物生長ホルモンを加えたものが好ましい。また、カルスの維持および細胞分裂の促進に適しているという理由から、オーキシン系植物ホルモン及びサイトカイニン系植物ホルモンを含むことが好ましい。
【００７５】
誘導培地を固体培地とする場合、固形化剤を使用して培地を固体にすればよい。固形化剤としては、特に限定されず、寒天、ゲランガム、アガロース、ゲルライト、ゼラチン、シリカゲル、アガー、フィタゲル等が挙げられる。
【００７６】
好適な誘導培地の組成及び培養条件は、植物種により異なり、また培地が液体培地であるか固体培地であるかによっても異なるが、通常は（特に、トウダイグサ科に属する植物（好ましくはＨｅｖｅａ属に属する植物、特に、パラゴムノキ）の場合は）以下の組成である。
【００７７】
第１−１、第１−２、第１−４の本発明においては、誘導培地中の炭素源の濃度は、好ましくは０．１質量％以上、より好ましくは１質量％以上、更に好ましくは２質量％以上である。該炭素源の濃度は、好ましくは１０質量％以下、より好ましくは６質量％以下、更に好ましくは４質量％以下である。
一方、第１−３の本発明においては、誘導培地中の炭素源の濃度は、好ましくは０．１質量％以上、より好ましくは１質量％以上、更に好ましくは２質量％以上、特に好ましくは３質量％以上、最も好ましくは５質量％以上である。該炭素源の濃度は、好ましくは１０質量％以下、より好ましくは８質量％以下である。
なお、本明細書において、炭素源の濃度とは、糖類の濃度を意味する。
【００７８】
第１−２、第１−３の本発明においては、誘導培地中のオーキシン系植物ホルモンの濃度は、１．２ｍｇ／ｌ以上である。これにより、不定胚を誘導しやすいカルスを好適に得られる。第１−１の本発明においても、誘導培地中のオーキシン系植物ホルモンの濃度は、１．２ｍｇ／ｌ以上であることが好ましい。これにより、不定胚を誘導しやすいカルスをより好適に得られる。
第１−１〜第１−３の本発明において、誘導培地中のオーキシン系植物ホルモンの濃度は、より好ましくは１．４ｍｇ／ｌ以上、更に好ましくは１．６ｍｇ／ｌ以上、特に好ましくは１．８ｍｇ／ｌ以上である。該オーキシン系植物ホルモンの濃度は、好ましくは２０ｍｇ／ｌ以下、より好ましくは１０ｍｇ／ｌ以下、更に好ましくは４ｍｇ／ｌ以下、特に好ましくは２．５ｍｇ／ｌ以下である。
【００７９】
一方、第１−４の本発明においては、オーキシン系植物ホルモンの濃度は、好ましくは０．１ｍｇ／ｌ以下、より好ましくは０．０５ｍｇ／ｌ以下、更に好ましくは０．０１ｍｇ／ｌ以下である。
【００８０】
誘導培地中のサイトカイニン系植物ホルモンの濃度は、好ましくは０ｍｇ／ｌ以上、より好ましくは１×１０−３ｍｇ／ｌ以上、更に好ましくは０．１ｍｇ／ｌ以上、特に好ましくは０．５ｍｇ／ｌ以上、最も好ましくは０．８ｍｇ／ｌ以上である。該サイトカイニン系植物ホルモンの濃度は、好ましくは１５ｍｇ／ｌ以下、より好ましくは１０ｍｇ／ｌ以下、更に好ましくは５ｍｇ／ｌ以下、特に好ましくは３ｍｇ／ｌ以下である。
【００８１】
誘導培地中の金属イオン含有化合物の濃度は、好ましくは０．１ｍｇ／ｌ以上、より好ましくは０．３ｍｇ／ｌ以上、更に好ましくは０．５ｍｇ／ｌ以上、特に好ましくは０．７ｍｇ／ｌ以上、最も好ましくは０．８ｍｇ／ｌ以上である。該金属イオン含有化合物の濃度は、好ましくは１５ｍｇ／ｌ以下、より好ましくは１０ｍｇ／ｌ以下、更に好ましくは５ｍｇ／ｌ以下、特に好ましくは３ｍｇ／ｌ以下、最も好ましくは２ｍｇ／ｌ以下である。
【００８２】
誘導培地中の植物抽出物の濃度は、好ましくは０．１質量％以上、より好ましくは０．５質量％以上、更に好ましくは１質量％以上、特に好ましくは３質量％以上である。該植物抽出物の濃度は、好ましくは１５質量％以下、より好ましくは１０質量％以下、更に好ましくは７質量％以下である。
【００８３】
誘導培地中のポリビニルピロリドンの濃度は、好ましくは０．０１質量％以上、より好ましくは０．０３質量％以上である。該ポリビニルピロリドンの濃度は、好ましくは１質量％以下、より好ましくは０．５質量％以下、更に好ましくは０．２質量％以下である。
【００８４】
誘導培地のｐＨは、４．０〜１０．０が好ましく、５．６〜６．５がより好ましく、５．７〜５．８が更に好ましい。培養温度は、０〜４０℃が好ましく、２０〜３５℃がより好ましく、２５〜３０℃が更に好ましい。培養は、暗所で行っても明所で行ってもよいが、暗所が好ましい。培養時間は、特に限定されないが、１〜１０週間培養することが好ましい。
なお、本明細書において、固体培地のｐＨは、固形化剤を除く全成分を添加した培地のｐＨを意味する。また、本明細書において、暗所とは、照度が０〜０．１ｌｘであることを意味し、明所とは、照度が０．１ｌｘを超えていることを意味する。
【００８５】
固体培地の場合、誘導培地中の固形化剤の濃度は、好ましくは０．１質量％以上、より好ましくは０．２質量％以上である。該固形化剤の濃度は、好ましくは３質量％以下、より好ましくは１．１質量％以下、更に好ましくは０．８質量％以下である。
【００８６】
以上のように、殺菌又は滅菌した組織片を上記誘導培地中で培養することにより、カルスの誘導を行うことが可能である。また、該カルスは、不定胚を誘導しやすいカルスである。
【００８７】
本発明では、誘導されたカルスの遺伝子を組み換えてもよい。組み換え遺伝子の導入方法は一般的に用いられているものを、通常知られた条件で使用すればよく、例えば、プロトプラスト法、パーティクルガン法、アグロバクテリウム法（以上「生物化学実験法４１植物細胞工学入門」１９９８年９月１日、学会出版センター、第２５５頁〜３２６頁，「植物バイオテクノロジー」２００９年５月２５日、幸書房、第１３０頁〜１３６頁）などがあるが、これらに限らない。
【００８８】
誘導したカルスをそのまま後述する不定胚誘導工程に用いてもよいが、より多量の植物を増殖できるという理由から、誘導したカルスをまず増殖させ、増殖させたカルスを不定胚誘導工程に用いることが好ましい。カルスの増殖は、カルスが増殖可能な条件でカルスを培養すればよく、例えば、誘導工程と同様の培地組成、培養条件でカルスの培養を行うことにより、カルスの増殖（生育）が可能である。なかでも、以下の増殖工程でカルスを生育させることが好ましい。
【００８９】
（増殖工程）
増殖工程では、例えば、誘導工程により誘導されたカルス（上述の方法等により遺伝子が組み替えられていてもよい）を植物生長ホルモン及び炭素源を含む生育培地中で培養して増殖（生育）させる。カルスを生育させる条件としては、特に限定されないが、イソプレノイド産生植物のカルスを上記（２−１）〜（２−３）の特定の培養条件で培養することにより、カルスを効率的に生育させることができると共に、生育させたカルスから効率的に不定胚を誘導でき、その結果、カルスを安定的に植物に再生でき、更には、安定的に植物の増殖が可能である。
なお、生育培地は、液体であっても固体であってもよい。また、生育培地が液体培地である場合には、静置培養を行ってもよく、振とう培養を行ってもよい。
【００９０】
植物生長ホルモンとしては、上記誘導培地と同様のものが使用できる。
【００９１】
第２−１の本発明においては、オーキシン系植物ホルモンとして、２，４−ジクロロフェノキシ酢酸、サイトカイニン系植物ホルモンとして、ベンジルアデニンを使用することが好ましい。
また、第２−２の本発明においては、オーキシン系植物ホルモンとして、２，４−ジクロロフェノキシ酢酸、サイトカイニン系植物ホルモンとして、ベンジルアデニンを使用する。
また、第２−３の本発明においては、ジベレリン系植物ホルモンを使用するが、ジベレリン系植物ホルモンに加えて、オーキシン系植物ホルモンを使用することが好ましく、オーキシン系植物ホルモンとして、ナフタレン酢酸を使用することがより好ましい。また、第２−３の本発明においては、ジベレリン系植物ホルモンに加えて、サイトカイニン系植物ホルモンを使用してもよく、サイトカイニン系植物ホルモンとして、ベンジルアデニン、カイネチンを使用することが好ましい。
【００９２】
第２−１の本発明においては、生育培地が金属イオン含有化合物を含む。生育培地中の金属イオン（特に、銀イオン）が、カルスに対するエチレンの作用を阻害するため、不定胚を誘導しやすいカルスを好適に生育できる。
なお、第２−２、第２−３の本発明（特に、第２−２の本発明）においても、生育培地が金属イオン含有化合物を含むことが好ましい。これにより、不定胚を誘導しやすいカルスをより好適に生育できる。
【００９３】
生育培地としては、Ｗｈｉｔｅの培地（植物細胞工学入門（学会出版センター）ｐ２０〜ｐ３６に記載）、Ｈｅｌｌｅｒの培地（Ｈｅｌｌｅｒ  Ｒ，  Ｂｏｔ．Ｂｉｏｌ．Ｖｅｇ．Ｐａｒｉｓ  １４  １−２２３（１９５３））、ＳＨ培地（ＳｃｈｅｎｋとＨｉｌｄｅｂｒａｎｄｔの培地）、ＭＳ培地（ＭｕｒａｓｈｉｇｅとＳｋｏｏｇの培地）（植物細胞工学入門（学会出版センター）ｐ２０〜ｐ３６に記載）、ＬＳ培地（ＬｉｎｓｍａｉｅｒとＳｋｏｏｇの培地）（植物細胞工学入門（学会出版センター）ｐ２０〜ｐ３６に記載）、Ｇａｍｂｏｒｇ培地、Ｂ５培地（植物細胞工学入門（学会出版センター）ｐ２０〜ｐ３６に記載）、ＭＢ培地、ＷＰ培地（Ｗｏｏｄｙ  Ｐｌａｎｔ：木本類用）等の基本培地や、該基本培地の組成に変更を加えた改変基本培地等のベースとなる培地に植物生長ホルモンを加えたものを使用すればよい。なかでも、ＭＳ培地、Ｂ５培地、ＷＰ培地に植物生長ホルモンを加えたものが好ましい。金属イオン含有化合物、炭素源、ジベレリン系植物ホルモンとしては、上記誘導培地と同様のものが好適に使用できる。
【００９４】
生育培地を固体培地とする場合、上記誘導培地の場合と同様に、固形化剤を使用して培地を固体にすればよい。
【００９５】
好適な生育培地の組成及び培養条件は、植物種により異なり、また培地が液体培地であるか固体培地であるかによっても異なるが、通常は（特に、トウダイグサ科に属する植物（好ましくはＨｅｖｅａ属に属する植物、特に、パラゴムノキ）の場合は）以下の組成である。
【００９６】
生育培地中の炭素源の濃度は、好ましくは０．１質量％以上、より好ましくは１質量％以上、更に好ましくは２質量％以上である。該炭素源の濃度は、好ましくは１０質量％以下、より好ましくは６質量％以下、更に好ましくは４質量％以下である。
【００９７】
第２−２の本発明においては、生育培地中のオーキシン系植物ホルモンの濃度は、１．２ｍｇ／ｌ以上である。これにより、不定胚を誘導しやすいカルスを好適に生育できる。第２−１の本発明においても、生育培地中のオーキシン系植物ホルモンの濃度は、１．２ｍｇ／ｌ以上であることが好ましい。これにより、不定胚を誘導しやすいカルスをより好適に生育できる。
第２−１、第２−２の本発明において、生育培地中のオーキシン系植物ホルモンの濃度は、より好ましくは１．４ｍｇ／ｌ以上、更に好ましくは１．６ｍｇ／ｌ以上、特に好ましくは１．８ｍｇ／ｌ以上である。該オーキシン系植物ホルモンの濃度は、好ましくは２０ｍｇ／ｌ以下、より好ましくは１０ｍｇ／ｌ以下、更に好ましくは４ｍｇ／ｌ以下、特に好ましくは２．５ｍｇ／ｌ以下である。
【００９８】
一方、第２−３の本発明においては、オーキシン系植物ホルモンの濃度は、好ましくは０．０１〜５ｍｇ／ｌ、より好ましくは０．０５〜３ｍｇ／ｌ、更に好ましくは０．１〜１ｍｇ／ｌである。
【００９９】
第２−１、第２−２の本発明において、生育培地中のサイトカイニン系植物ホルモンの濃度は、好ましくは０ｍｇ／ｌ以上、より好ましくは１×１０−３ｍｇ／ｌ以上、更に好ましくは０．１ｍｇ／ｌ以上、特に好ましくは０．５ｍｇ／ｌ以上、最も好ましくは０．８ｍｇ／ｌ以上、より最も好ましくは１．５ｍｇ／ｌ以上である。該サイトカイニン系植物ホルモンの濃度は、好ましくは１５ｍｇ／ｌ以下、より好ましくは１０ｍｇ／ｌ以下、更に好ましくは５ｍｇ／ｌ以下、特に好ましくは３ｍｇ／ｌ以下である。
【０１００】
第２−３の本発明において、生育培地中のサイトカイニン系植物ホルモンの濃度は、好ましくは０〜１０ｍｇ／ｌであり、上限は、より好ましくは７ｍｇ／ｌ、更に好ましくは５ｍｇ／ｌである。
【０１０１】
第２−３の本発明において、生育培地中のジベレリン系植物ホルモンの濃度は、好ましくは０．０１〜１０ｍｇ／ｌ、より好ましくは０．０３〜５ｍｇ／ｌであり、上限は、更に好ましくは３ｍｇ／ｌ、特に好ましくは１ｍｇ／ｌである。
【０１０２】
生育培地中の金属イオン含有化合物の濃度は、好ましくは０．１ｍｇ／ｌ以上、より好ましくは０．３ｍｇ／ｌ以上、更に好ましくは０．５ｍｇ／ｌ以上、特に好ましくは０．７ｍｇ／ｌ以上、最も好ましくは０．８ｍｇ／ｌ以上である。該金属イオン含有化合物の濃度は、好ましくは１５ｍｇ／ｌ以下、より好ましくは１０ｍｇ／ｌ以下、更に好ましくは５ｍｇ／ｌ以下、特に好ましくは３ｍｇ／ｌ以下、最も好ましくは２ｍｇ／ｌ以下である。
【０１０３】
生育培地のｐＨは、４．０〜１０．０が好ましく、５．６〜６．５がより好ましく、５．７〜５．８が更に好ましい。培養温度は、０〜４０℃が好ましく、２０〜３５℃がより好ましく、２５〜３０℃が更に好ましい。培養は、暗所で行っても明所で行ってもよいが、暗所が好ましい。培養時間は、特に限定されないが、１〜１０週間培養することが好ましい。
【０１０４】
固体培地の場合、生育培地中の固形化剤の濃度は、好ましくは０．１質量％以上、より好ましくは０．２質量％以上である。該固形化剤の濃度は、好ましくは３質量％以下、より好ましくは１．１質量％以下である。
【０１０５】
以上のように、増殖工程では、カルスを上記生育培地中で培養することにより、カルスを増殖（生育）させることが可能である。また、該カルスは、不定胚を誘導しやすいカルスである。この増殖工程により増殖させたカルスは、次の不定胚誘導工程に使用される。
【０１０６】
（不定胚誘導工程）
不定胚誘導工程では、植物生長ホルモン及び炭素源を含む不定胚誘導培地中でカルスを培養することにより不定胚を形成させる。カルスから不定胚を誘導（形成）し、不定胚を培養することにより、該不定胚は成熟した不定胚（成熟胚）となり、安定的に植物に再生することができるため、不定胚誘導工程の培養条件は、カルスから不定胚を誘導できる条件であれば、特に限定されないが、「オーキシン系植物ホルモンの濃度／ジベレリン系植物ホルモンの濃度」を特定値以上とすることにより、カルスから効率的に不定胚を誘導でき、その結果、カルスを安定的に植物に再生でき、更には、安定的に植物の増殖が可能である。
【０１０７】
不定胚誘導工程では、例えば、誘導工程により誘導されたカルス（上述の方法等により遺伝子が組み換えられていてもよく、また、誘導工程により誘導されたカルスを増殖工程により増殖させたものであってもよい）を不定胚誘導培地中で培養して不定胚を誘導する。なお、不定胚誘導培地は、液体であっても固体であってもよいが、培地上に置床して培養することで、不定胚を誘導しやすいため、固体培養が好ましい。また、不定胚誘導培地が液体培地である場合には、静置培養を行ってもよく、振とう培養を行ってもよい。
【０１０８】
植物生長ホルモンとしては、上記誘導培地と同様のものが使用できるが、第３の本発明においては、オーキシン系植物ホルモン及びジベレリン系植物ホルモンを使用する。オーキシン系植物ホルモンとしては、インドール酢酸が好ましく、ジベレリン系植物ホルモンとしては、ジベレリンＡ３が好ましい。
【０１０９】
不定胚誘導培地としては、上述の基本培地や、該基本培地の組成に変更を加えた改変基本培地等のベースとなる培地に植物生長ホルモンを加えたものを使用すればよい。なかでも、ＭＳ培地、ＬＳ培地、Ｂ５培地、ＷＰ培地に植物生長ホルモンを加えたものが好ましく、ＭＳ培地に植物生長ホルモンを加えたものがより好ましい。炭素源としては、上記誘導培地と同様のものが好適に使用できる。
【０１１０】
不定胚誘導培地が固体培地の場合、上記誘導培地の場合と同様に、固形化剤を使用して培地を固体にすればよい。
【０１１１】
好適な不定胚誘導培地の組成及び培養条件は、植物種により異なり、また培地が液体培地であるか固体培地であるかによっても異なるが、通常は（特に、トウダイグサ科に属する植物（好ましくはＨｅｖｅａ属に属する植物、特に、パラゴムノキ）の場合は）以下の組成である。
【０１１２】
不定胚誘導培地中のオーキシン系植物ホルモンの濃度／ジベレリン系植物ホルモンの濃度が、０．７以上であり、好ましくは０．８以上、より好ましくは０．９以上である。オーキシン系植物ホルモンの濃度／ジベレリン系植物ホルモンの濃度が、好ましくは１．３以下、より好ましくは１．２以下、更に好ましくは１．１以下である。オーキシン系植物ホルモンの濃度／ジベレリン系植物ホルモンの濃度が上記範囲内であると、カルスからより効率的に不定胚を誘導でき、その結果、カルスをより安定的に植物に再生でき、更には、より安定的に植物の増殖が可能である。
【０１１３】
不定胚誘導培地中のオーキシン系植物ホルモンの濃度は、好ましくは０．１ｍｇ／ｌ以上、より好ましくは０．５ｍｇ／ｌ以上、更に好ましくは１ｍｇ／ｌ以上、特に好ましくは１．５ｍｇ／ｌ以上、最も好ましくは１．８ｍｇ／ｌ以上である。該オーキシン系植物ホルモンの濃度は、好ましくは１５ｍｇ／ｌ以下、より好ましくは８ｍｇ／ｌ以下、更に好ましくは５ｍｇ／ｌ以下、特に好ましくは３ｍｇ／ｌ以下である。
【０１１４】
不定胚誘導培地中のジベレリン系植物ホルモンの濃度は、好ましくは０．１ｍｇ／ｌ以上、より好ましくは０．５ｍｇ／ｌ以上、更に好ましくは１ｍｇ／ｌ以上、特に好ましくは１．５ｍｇ／ｌ以上、最も好ましくは１．８ｍｇ／ｌ以上である。該ジベレリン系植物ホルモンの濃度は、好ましくは１５ｍｇ／ｌ以下、より好ましくは８ｍｇ／ｌ以下、更に好ましくは５ｍｇ／ｌ以下、特に好ましくは３ｍｇ／ｌ以下である。
【０１１５】
不定胚誘導培地中の炭素源の濃度は、好ましくは０．１質量％以上、より好ましくは１質量％以上、更に好ましくは２質量％以上、特に好ましくは３質量％以上、最も好ましくは６質量％以上である。該炭素源の濃度は、好ましくは１０質量％以下、より好ましくは８質量％以下である。
【０１１６】
不定胚誘導培地のｐＨは、特に限定されないが、４．０〜１０．０が好ましく、５．６〜６．５がより好ましい。培養温度は、０〜４０℃が好ましく、２０〜３５℃がより好ましく、２５〜３２℃が更に好ましい。培養は、暗所で行っても明所で行ってもよいが、２４時間中１２〜２０時間明所で培養を行うことが好ましく、明所の照度は、２０００〜２５０００ｌｘが好ましい。培養時間は、特に限定されないが、４〜４８週間培養することが好ましく、６〜２４週間培養することがより好ましい。
【０１１７】
固体培地の場合、不定胚誘導培地中の固形化剤の濃度は、好ましくは０．１質量％以上、より好ましくは０．１５質量％以上である。該固形化剤の濃度は、好ましくは３質量％以下、より好ましくは１．１質量％以下である。
【０１１８】
以上のように、不定胚誘導工程では、カルスを上記不定胚誘導培地中で培養することにより、不定胚を形成させることが可能である。この不定胚誘導工程により形成された不定胚は、更に培養することで、成熟し、成熟胚となる。
【０１１９】
（不定胚成熟工程）
不定胚成熟工程では、形成された不定胚を成熟培地で培養することにより不定胚を成熟させる。
【０１２０】
不定胚成熟工程では、例えば、不定胚誘導工程により形成された不定胚を成熟培地中で培養して不定胚を成熟させる。なお、成熟培地は、液体であっても固体であってもよいが、培地上に置床して培養することで、不定胚を成熟させやすいため、固体培養が好ましい。また、成熟培地が液体培地である場合には、静置培養を行ってもよく、振とう培養を行ってもよい。
【０１２１】
成熟培地としては、上述の基本培地や、該基本培地の組成に変更を加えた改変基本培地等を使用すればよいが、不定胚を好適に成熟できるという理由から、上記不定胚誘導培地と同様の組成のものが好適に使用できる。
【０１２２】
成熟培地が固体培地の場合、上記誘導培地の場合と同様に、固形化剤を使用して培地を固体にすればよい。
【０１２３】
不定胚成熟工程における好適な培養条件は、植物種により異なり、また培地が液体培地であるか固体培地であるかによっても異なるが、通常は（特に、トウダイグサ科に属する植物（好ましくはＨｅｖｅａ属に属する植物、特に、パラゴムノキ）の場合は）以下の条件である。
【０１２４】
成熟培地のｐＨは、特に限定されないが、４．０〜１０．０が好ましく、５．６〜６．５がより好ましい。培養温度は、０〜４０℃が好ましく、２０〜３６℃がより好ましく、２０〜３０℃が更に好ましい。培養は、暗所で行っても明所で行ってもよいが、２４時間中１０〜１６時間明所で培養を行うことが好ましく、明所の照度は、２０００〜２５０００ｌｘが好ましい。培養時間は、特に限定されないが、４〜１６週間培養することが好ましい。
【０１２５】
固体培地の場合、成熟培地中の固形化剤の濃度は、好ましくは０．１質量％以上、より好ましくは０．２質量％以上である。該固形化剤の濃度は、好ましくは２質量％以下、より好ましくは１．１質量％以下である。
【０１２６】
以上のように、不定胚成熟工程では、形成された不定胚を上記成熟培地中で培養することにより、不定胚を成熟させることが可能である。また、この不定胚成熟工程では、不定胚が成熟するだけではなく、発芽がみられてもよい。不定胚成熟工程において、不定胚を上記成熟培地中で培養することにより、不定胚が成熟し、その後、発芽が観察される。この不定胚成熟工程により成熟させた不定胚は、次の発根工程に使用される。次の発根工程に移るタイミングとしては、発芽がみられた後が好ましい。なお、不定胚誘導工程において既に不定胚が成熟している場合には、この不定胚成熟工程を省略してもよい。
【０１２７】
（発根工程）
発根工程では、炭素源を含む発根培地で成熟胚を培養することにより発根させる。ここで、成熟胚としては、不定胚成熟工程により得られた成熟胚を使用してもよく、不定胚誘導工程により成熟された成熟胚を直接使用してもよい。
【０１２８】
発根工程では、例えば、不定胚成熟工程により得られた成熟胚を発根培地中で培養して発根させる。なお、発根培地は、液体であっても固体であってもよいが、培地上に置床して培養することで、発根させやすいため、固体培養が好ましい。また、発根培地が液体培地である場合には、静置培養を行ってもよく、振とう培養を行ってもよい。
【０１２９】
発根培地としては、上述の基本培地や、該基本培地の組成に変更を加えた改変基本培地等を使用すればよいが、好適に発根できるという理由から、発根培地が、トウダイグサ科に属する植物（好ましくはＨｅｖｅａ属に属する植物、特に、パラゴムノキ）の場合、ＭＳ培地、ＭＳ培地の組成に変更を加えたＭＳ改変培地が好ましく、１／２ＭＳ培地がより好ましい。なお、発根培地（特に、１／２ＭＳ培地）は、植物生長ホルモンを含んでいてもよく、含まなくてもよいが、植物生長ホルモンを含むことが好ましい。植物生長ホルモンとしては、上記誘導培地と同様のものが使用できるが、オーキシン系植物ホルモンを含むことがより好ましく、２，４−ジクロロフェノキシ酢酸、ナフタレン酢酸、インドール酪酸、インドール酢酸が好ましく、インドール酪酸を含むことが更に好ましく、インドール酪酸を含むことが特に好ましい。
【０１３０】
上記発根培地が、金属イオン含有化合物を含むことが好ましい。これにより、より好適に発根を誘導できる。金属イオン含有化合物としては、上記誘導培地と同様のものが好適に使用できる。
【０１３１】
上記発根培地が、活性炭を含むことが好ましい。これにより、組織の成長を阻害する物質の蓄積を防止でき、より好適に発根を誘導できる。
【０１３２】
また、炭素源としては、上記誘導培地と同様のものが好適に使用できる。なお、成熟培地と発根培地の組成が同一であってもよい。また、不定胚誘導工程や不定胚成熟工程において既に発根している場合には、この発根工程を省略してもよい。
【０１３３】
発根培地が固体培地の場合、上記誘導培地の場合と同様に、固形化剤を使用して培地を固体にすればよい。
【０１３４】
好適な発根培地の組成及び培養条件は、植物種により異なり、また培地が液体培地であるか固体培地であるかによっても異なるが、通常は（特に、トウダイグサ科に属する植物（好ましくはＨｅｖｅａ属に属する植物、特に、パラゴムノキ）の場合は）以下の条件である。
【０１３５】
発根培地中のオーキシン系植物ホルモンの濃度は、好ましくは０．５〜１５ｍｇ／ｌ、より好ましくは１〜１０ｍｇ／ｌ、更に好ましくは３〜６ｍｇ／ｌである。
【０１３６】
発根培地中のサイトカイニン系植物ホルモンの濃度は、好ましくは０〜７ｍｇ／ｌである。上限は好ましくは５ｍｇ／ｌ、より好ましくは１ｍｇ／ｌ、更に好ましくは０．０１ｍｇ／ｌであり、実質的に含有しない（０ｍｇ／ｌ）ことが特に好ましい。
【０１３７】
発根培地中の炭素源の濃度は、好ましくは０．１質量％以上、より好ましくは１質量％以上、更に好ましくは２質量％以上である。該炭素源の濃度は、好ましくは１０質量％以下、より好ましくは８質量％以下、更に好ましくは５質量％以下である。
【０１３８】
発根培地中の活性炭の濃度は、好ましくは０．０１質量％以上、より好ましくは０．０２質量％以上、更に好ましくは０．０３質量％以上である。該活性炭の濃度は、好ましくは１質量％以下、より好ましくは０．１質量％以下、更に好ましくは０．０７質量％以下である。
【０１３９】
発根培地中の金属イオン含有化合物の濃度は、好ましくは０．１ｍｇ／ｌ以上、より好ましくは０．３ｍｇ／ｌ以上、更に好ましくは０．５ｍｇ／ｌ以上、特に好ましくは０．７ｍｇ／ｌ以上、最も好ましくは０．８ｍｇ／ｌ以上である。該金属イオン含有化合物の濃度は、好ましくは１５ｍｇ／ｌ以下、より好ましくは１０ｍｇ／ｌ以下、更に好ましくは５ｍｇ／ｌ以下、特に好ましくは３ｍｇ／ｌ以下、最も好ましくは２ｍｇ／ｌ以下である。
【０１４０】
発根培地のｐＨは、特に限定されないが、４．０〜１０．０が好ましく、５．５〜６．５がより好ましく、５．６〜６．０が更に好ましい。培養温度は、０〜４０℃が好ましく、２０〜３５℃がより好ましく、２５〜３２℃が更に好ましい。
培養は、暗所で行っても明所で行ってもよいが、２４時間中１４〜１６時間明所で培養を行うことが好ましく、明所の照度は、２０００〜２５０００ｌｘが好ましい。培養時間は、特に限定されないが、４〜１０週間培養することが好ましい。
【０１４１】
固体培地の場合、発根培地中の固形化剤の濃度は、好ましくは０．１質量％以上、より好ましくは０．２質量％以上、更に好ましくは０．３質量％以上である。該固形化剤の濃度は、好ましくは２質量％以下、より好ましくは１．１質量％以下、更に好ましくは０．８質量％以下である。
【０１４２】
以上のように、発根工程では、成熟胚を上記発根培地中で培養することにより、発根させることが可能であり、発根させた成熟胚（幼植物）が得られる。この幼植物は、直接土壌に移植してもよいが、バーキュライト等の人工土壌に移して馴化してから土壌に移植することが好ましい。
【０１４３】
以上の説明の通り、本発明では、カルスから不定胚を誘導し、不定胚を培養することにより、安定的に植物に再生できる。また、制御された環境下で組織培養を行うことにより、天候や季節等に影響されずに安定的に植物を増殖できる。図１に、葯からカルスが誘導され、誘導されたカルスが生育され、不定胚が誘導され、更に不定胚が成熟胚となり、植物体に再生する様子の一例を示した。
【実施例】
【０１４４】
実施例に基づいて、本発明を具体的に説明するが、本発明はこれらのみに限定されるものではない。
【０１４５】
以下、パラゴムノキを用いた実施例で使用した各種薬品について、まとめて説明する。
ＮＡＡ：ナフタレン酢酸
２，４−Ｄ：２，４−ジクロロフェノキシ酢酸
ＢＡ：ベンジルアデニン
ＫＩ：カイネチン
ＩＡＡ：インドール酢酸
ＩＢＡ：インドール酪酸
ＧＡ３：ジベレリンＡ３
ＴＤＺ：チジアズロン
ＰＶＰ：ポリビニルピロリドン
ゲル化剤：アガー
パラゴムノキ：Ｐｒｉｎｃｅ  ｏｆ  Ｓｏｎｇｋｌａ  Ｕｎｉｖｅｒｓｉｔｙに自生しているパラゴムノキ
【０１４６】
（カルスの誘導（誘導工程））
パラゴムノキから表１に記載の各組織片を採取した。次に、採取した各組織片の表面を流水で洗浄し、さらに７０％エタノールで洗浄した後、約５〜１０％に希釈した次亜塩素酸ナトリウム溶液で滅菌し、再度流水で洗浄した。
【０１４７】
次に、滅菌した各組織片の組織を誘導培地（固体培地）に差込み、培養を行った（誘導工程）。パラゴムノキのカルス化に用いた誘導培地の組成を表１に示す。誘導培地は、ＭＳ培地（植物細胞工学入門（学会出版センター）ｐ２０〜ｐ３６に記載）に、表１に記載の各成分を添加し、培地のｐＨを５．７〜５．８に調整した後、ゲル化剤を０．７５質量％となるように添加し、オートクレーブ（１２１℃、２０分）で滅菌し、クリーンベンチ内で冷却することにより調製した。
【０１４８】
パラゴムノキの各組織片を誘導培地（固体培地）に差込み、培養温度２８℃、暗所で４週間培養し、パラゴムノキの組織片からカルス（未分化細胞）を誘導した。
【０１４９】
上記誘導培地で４週間培養した後、目視によりカルスの誘導を確認し、以下の基準で評価した。結果を表１に示す。
○：５０％以上の組織片でカルスの形成が確認できた
×：カルスの形成なし又は死滅
【０１５０】
【表１】
2017055670.tif 000003
【０１５１】
表１の結果より、イソプレノイド産生植物（パラゴムノキ）の組織片を上記（１−１）〜（１−４）の特定の培養条件で培養することにより、イソプレノイド産生植物（パラゴムノキ）の組織片から効率的にカルスを誘導できることが分かった。更に、得られたカルスが、不定胚を誘導しやすいカルスであること、すなわち、得られたカルスから効率的に不定胚を誘導でき、その結果、カルスを安定的に植物に再生できることも確認した。特に、誘導培地が金属イオン含有化合物を含む実施例４−７により誘導されたカルスは、不定胚を誘導しやすいカルスであった。また、パラゴムノキの組織片から誘導されたカルスの一例を示す写真を図２に示した。
【０１５２】
なお、表１において、実施例４−７が第１−１の本発明の実施態様に該当し、実施例２、４−７が第１−２の本発明の実施態様に該当し、実施例１が第１−３の本発明の実施態様に該当し、実施例３が第１−４の本発明の実施態様に該当する。
【０１５３】
次に、誘導されたカルス（表２に示す由来組織が葯、種子外皮、葉柄、葉、根と記載のものは、それぞれ実施例１、７、４、５、６の条件により誘導されたカルスを使用、表２に示す由来組織が茎と記載のものは、組織片として茎を使用して実施例４と同様の条件により誘導されたカルスを使用）を約１ヶ月ごとに生育培地（固体培地）で継代培養してカルスを増殖させた（増殖工程）。生育培地の組成を表２に示す。
【０１５４】
生育培地は、ＭＳ培地（植物細胞工学入門（学会出版センター）ｐ２０〜ｐ３６に記載）に、表２に記載の各成分を添加し、培地のｐＨを５．７〜５．８に調整した後、ゲル化剤を０．７５質量％となるように添加し、オートクレーブ（１２１℃、２０分）で滅菌し、クリーンベンチ内で冷却することにより調製した。
培養は、暗所（０〜０．１ｌｘ）又は明所（１００００ｌｘ、日長時間は表２に記載）で培養し、カルスの生育を促した。
【０１５５】
上記生育培地で４週間培養した後、目視によりカルスの生育を確認し、以下の基準で評価した。結果を表２に示す。
○：５０％超のカルスで増殖が確認できた
△：５０％以下のカルスで増殖が確認できた
×：カルスの増殖なし又は死滅
【０１５６】
【表２】
2017055670.tif 000004
【０１５７】
表２の結果より、イソプレノイド産生植物（パラゴムノキ）のカルスを上記（２−１）〜（２−３）の特定の培養条件で培養することにより、カルスを効率的に生育させることができることが分かった。更に、生育させたカルスが、不定胚を誘導しやすいカルスであること、すなわち、生育させたカルスから効率的に不定胚を誘導でき、その結果、カルスを安定的に植物に再生できることも確認した。特に、生育培地が金属イオン含有化合物を含む実施例１１−１５により生育されたカルスは、不定胚を誘導しやすいカルスであった。
【０１５８】
なお、表２において、実施例１１−１５が第２−１の本発明の実施態様に該当し、実施例１０−１５が第２−２の本発明の実施態様に該当し、実施例８、９が第２−３の本発明の実施態様に該当する。
【０１５９】
（不定胚形成のための培地検討（不定胚誘導工程））
次に、誘導されたカルス（表３に示す由来組織が葯、種子外皮と記載のものは、それぞれ実施例１、７の条件により誘導されたカルスを使用）を用いて、カルスから不定胚を形成させるための培地（不定胚誘導培地）条件の検討を基本培地であるＭＳ培地を用いて行った（表３参照）。また、ｐＨは、５．７〜５．８に調整した。なお、固形化剤であるゲル化剤（ファイタゲル）は０．７５質量％となるように培地に添加した。そして、調製した各固体培地（滅菌済み）を用いて、誘導工程により誘導されたカルスを培養温度２８℃、２４時間中１６時間の照明下（１００００ｌｘ）で１〜３ヶ月培養した。なお、１ヶ月培養する毎に培地を交換した。
【０１６０】
上記不定胚誘導培地で１〜３ヶ月培養した後、目視により不定胚の形成を確認し、以下の基準で評価した。結果を表３に示す。
○：１０％のカルスで不定胚の形成が確認できた
×：不定胚の形成なし又は死滅
【０１６１】
【表３】
2017055670.tif 000005
【０１６２】
（不定胚の成熟（不定胚成熟工程））
次に、不定胚を成熟させるために、形成された不定胚を、不定胚誘導培地と同様の組成の培地で継代培養した。培養温度２５℃、２４時間中１２時間の照明下（１００００ｌｘ）で８週間培養した。良好に不定胚が成熟して成熟胚となり、発芽も観察された。
【０１６３】
このように、不定胚が形成された培地では、不定胚の形成後に該不定胚が成熟し成熟胚となり、発芽も観察された。一方、不定胚が形成されなかった培地では、そのまま培養を継続しても成熟胚は形成されなかった。このことから、カルスから不定胚を誘導することにより、安定的に成熟胚が形成されることが分かった。
【０１６４】
（発根（発根工程））次に、発根のために、３ｃｍ程度に成長した成熟胚を発根培地に移植した。
発根培地の組成を表４に示す。発根培地は、１／２ＭＳ培地（植物細胞工学入門（学会出版センター）ｐ２０〜ｐ３６に記載）に、表４に記載の各成分を添加し、培地のｐＨを５．７〜５．８に調整した後、ゲル化剤を０．７５質量％となるように添加し、オートクレーブ（１２１℃、２０分）で滅菌し、クリーンベンチ内で冷却することにより調製した。
【０１６５】
３ｃｍ程度に成長した成熟胚を発根培地（固体培地）に差込み、培養温度２８℃、２４時間中１６時間の照明下（１００００ｌｘ）で８週間培養した。特定の発根培地を使用した実施例１８では、上記培地で培養することにより、良好に発根が観察され、幼植物を得ることができた。なお、４週間ごとに同培地に移植する作業を実施した。一方、特定の発根培地を使用しなかった比較例１１では、発根は見られずまた培養を続けることで不定胚が枯渇した。
【０１６６】
【表４】
2017055670.tif 000006
【図１】
2017055670.tif 000007
【図２】
2017055670.tif 000008